(57)【特許請求の範囲】
【請求項１】
アンテナ装置（１）であって、
使用にあたり接地面（３）として作用する金属処理された領域（３）を有するプリント基板（２）と、
接地面（３）の縁部における凹部（４）であって、互いに対向する第１の辺（１３）及び第２の辺（１４）、前記第１の辺（１３）及び第２の辺（１４）に接続されて、二つの点（６，７）で終端して前記凹部（４）の開口（８）を形成する前記凹部（４）の周縁（５）を形成する底辺（２５）を有する前記凹部（４）と、
あいだに一塊の直列キャパシタ（１２）を含む二つのポート（１０，１１）を有する第１の電気的にリアクタンス性のネットワーク（９）であって、前記凹部（４）を橋渡し、前記前記凹部（４）の第１の辺（１３）上で前記接地面（３）と電気的に接続された一方のポート（１１）と、前記凹部（４）の第２の辺（１４）において無線信号給電点（１５）を与える他方のポート（１０）とを有する第１の電気的にリアクタンス性のネットワーク（９）と、
あいだに一塊の直列キャパシタ（１９）を含む二つのポート（１７，１８）を有する第２の電気的にリアクタンス性のネットワーク（１６）であって、前記第１の電気的にリアクタンス性のネットワーク（９）とは別に前記凹部（４）を橋渡し、一方のポート（１７）は前記凹部の第１の辺（１３）上で前記接地面（３）と電気的に接続され、他のポート（１８）は前記凹部（４）の第２の辺（１４）上で前記接地面（３）と電気的に接続された、第２の電気的にリアクタンス性のネットワーク（１６）と、
を備え、
前記アンテナ装置（１）は、無線波の送信及び／又は受信のための無線回路が前記無線信号給電点（１５）に接続され共振周波数で無線波を受信し又は送信するときに、共振周波数でアンテナとして共振するよう構成され、
前記開口（８）から、前記接地面（３）の金属を横切ることなく開口（８）から最も遠くにある前記凹部（４）の前記周縁（５）上の点までの物理的な長さとして定義される、前記凹部（４）の電気的な長さは、アンテナ装置（１）の共振周波数の波長の１０分の１（１／１０）又はそれ以下であり、
前記第１の電気的にリアクタンス性のネットワーク（９）と前記第２の電気的にリアクタンス性のネットワーク（１６）のあいだの物理的な距離は、前記アンテナ装置（１）の共振周波数の波長の１／１２よりも小さく、前記凹部（４）の形状は三角形で、前記凹部（４）の開口（８）が三角形の一つの頂点にあたるアンテナ装置。
【請求項２】
前記凹部（４）は、前記底辺が前記凹部（４）の高さと同じか又はこれよりも長い形状を有し、ここで前記凹部の高さは前記底辺と前記開口（８）のあいだの最も短い経路の長さとして定義される、請求項１に記載のアンテナ装置。
【請求項３】
前記第２の電気的にリアクタンス性のネットワーク（１６）は、前記第１の電気的にリアクタンス性のネットワーク（９）よりも、前記凹部（４）の開口（８）のより近くに配置されている、請求項１又は２に記載のアンテナ装置。
【請求項４】
無線波の送信及び／又は受信のための無線回路が前記無線信号給電点（１５）に接続され、さらに別の共振周波数で無線波を受信し又は送信するときに、さらに前記別の共振周波数でアンテナとして共振するよう構成されている、請求項１乃至３のいずれか一項に記載のアンテナ装置。
【請求項５】
前記第２の電気的にリアクタンス性のネットワーク（１６）のリアクタンスは、アンテナ装置の動作周波数において、１００Ωより高い、請求項１乃至４のいずれか一項に記載のアンテナ装置。
【請求項６】
前記無線信号給電点（１５）に接続され無線波の送信及び／又は受信のための無線回路（２０）を含み、前記無線回路（２０）は少なくとも一つの共振周波数を有する、請求項１乃至５のいずれか一項に記載のアンテナ装置。
【請求項７】
前記第１の電気的にリアクタンス性のネットワーク（９）の直列キャパシタンスは０．１ｐＦから０．８ｐＦまでの範囲、好ましくは０．２ｐＦから０．５ｐＦまでの範囲であり、前記第２の電気的にリアクタンス性のネットワーク（１６）の直列キャパシタンスは０．０５ｐＦから０．６ｐＦまでの範囲、好ましくは０．０７ｐＦから０．４ｐＦまでの範囲であり、前記アンテナ装置（１）は２ＧＨｚから６ＧＨｚまでの範囲で動作するのに適合する、請求項１乃至６のいずれか一項に記載のアンテナ装置。
【請求項８】
約２．４ＧＨｚの共振周波数において、
前記第１の電気的にリアクタンス性のネットワーク（９）の直列キャパシタンスは約０．３ｐＦであり、
前記第２の電気的にリアクタンス性のネットワーク（１６）の直列キャパシタンスは約０．２ｐＦであり、
前記凹部の高さは３．５ｍｍであり、
底辺（２５）の幅は８ｍｍであり、
前記凹部の高さは、底辺と開口（８）のあいだの最も短い経路の長さとして定義される、請求項７に記載のアンテナ装置。
【請求項９】
約２．４ＧＨｚの共振周波数及びさらに約５ＧＨｚの別の共振周波数において、
前記第１の電気的にリアクタンス性のネットワーク（９）の直列キャパシタンスは０．２ｐＦから０．４ｐＦまでの範囲であり、
前記第２の電気的にリアクタンス性のネットワーク（１６）の直列キャパシタンスは約０．０７ｐＦであり、
前記凹部の高さは５．５ｍｍであり、
底辺（２５）の幅は１０ｍｍであり、
前記凹部の高さは、底辺（２５）と開口（８）のあいだの最も短い経路の長さとして定義される、請求項７に記載のアンテナ装置。
【請求項１０】
前記プリント基板の方向に沿って前記プリント基板の中へと向かう前記凹部（４）の物理的な深さは、同じ方向の前記プリント基板（２）の深さの２５％又はそれ以下である、請求項１乃至９のいずれか一項に記載のアンテナ装置。
【請求項１１】
前記第１の電気的にリアクタンス性のネットワーク（９）の電線の少なくとも一部は蛇行している、請求項１乃至１０のいずれか一項に記載のアンテナ装置。
【請求項１２】
請求項１乃至１１のいずれか一項に記載のアンテナ装置（１）を含むデバイス。
【発明の詳細な説明】
【技術分野】
【０００１】
本発明はアンテナ装置に関連し、さらにこのアンテナ装置を含むデバイスに関連する。
【背景技術】
【０００２】
長い年月をかけて、非常に多くの異なるアンテナ及びアンテナ装置が提案されてきた。一般に、このようなアンテナを改善する上で興味を持たれる特性のいくつかには、大きさ（寸法）、効率、コストが含まれる。
【０００３】
ＥＰ２７０４２５２（Ａ２）には、スロットを有する接地面（ground plane）があるアンテナ装置が記載されている。さらに、これはスロットの一方の側のグランドとスロットの他方の側の信号源とのあいだに接続されたスロットをわたって延びる給電要素（feeding element）を含む。またこの給電要素はキャパシタを含む。このキャパシタのあるキャパシタンス値、スロットの寸法及びスロット上での給電位置によって、デュアルバンド対応のアンテナが可能となる。
【０００４】
ＵＳ６４２４３００Ｂ１には、プリント基板上のノッチアンテナが記載されおり、これは二つの側部及びこの二つの側部の各々とＲＦ回路に電気的に接続されたＲＦ信号フィードを有している。ＲＦ信号フィードは、ノッチの側部の各々と直接物理的に接触している。このアンテナは、選択された周波数帯の範囲内でアンテナとして共振するよう構成されている。一つの実施形態では、アンテナは異なる周波数帯で共振する二つのノッチを含んでいる。
【０００５】
ＵＳ２０１２／０２８０８９０には、容量給電タイプのアンテナが開示されており、これは複数の放射電極を含み、それぞれがグランド電極と接続された部分を有する。このアンテナはさらに、給電回路に接続された単一の給電用電極を含む。給電電極は放射電極の各々と対向し、これにより給電電極と放射電極の各々とのあいだに容量（capacitance）を生じさせる。複数の放射電極及び給電電極は、各放射電極が単一の給電電極によって、容量が生じる容量給電部分において容量的に給電されるように設けられる。
【０００６】
前述のＵＳ６４２４３００Ｂ１は、それぞれのバンドに一つずつ二つのノッチをプリント基板に設けることによって、異なる二つのバンドでの動作を可能とする。しかしながら、プリント基板上の空間が限られる応用に対しては、第２のノッチに対して必要とされる余分の空間を収容するのは実現可能でないかもしれない。
【０００７】
ＥＰ２７０４２５２（Ａ２）は、ある前提条件によっては、シングルバンド及びデュアルバンドの動作を可能とする。しかしながら、このアンテナは長さが４５〜４７ｍｍととても大きい。このためこのアンテナは、多くの用途での使用から排除されうる。図１は、ＥＰ２７０４２５２（Ａ２）における無線回路１００を有するアンテナを概略的に示している。この文献によれば、接地面の寸法は約１０８ｍｍ×６０ｍｍである。スロットの長さは約４５ｍｍであり、幅は約０．６ｍｍである。この構成で、そしてキャパシタが約０．５ｐＦから１．５ｐＦまでのキャパシタンスでは、アンテナ構造のアンテナ効率は、８２４ＭＨｚから９６０ＭＨｚまでの第１のバンドにおいて４９．７％よりも大きく、１７１０ＭＨｚから２１７０ＭＨｚまでの第２のバンドにおいて３５．３％よりも大きい。９６０ＭＨｚでの波長は約３１ｃｍであり、２１７０ＭＨｚでの波長は約１４ｃｍである。すなわち、このアンテナ構造は大体波長の７分の１（１／７）から３分の１（１／３）のあいだである。
【０００８】
しかしながら、ＥＰ２７０４２５２（Ａ２）のアンテナ構造は、より小さなアンテナには十分に適合しない。例えば、図２において、図１のアンテナをより小さいスロットで、かつ給電要素１１０をアンテナの上部へ移動させて再現している。図２におけるスロットの寸法は深さ６ｍｍ、幅２ｍｍで、アンテナは２．４ＧＨｚにインピーダンスマッチングされている。２．４ＧＨｚでは波長は約１２．５ｃｍである。よって、図２のアンテナは約１／２０波長の寸法を有する。図２におけるアンテナの反射減衰量（return loss）を示した図３から分かるように、性能は劣っている。多くの設計において、回路基板上のアンテナ装置は、他の部品のためのスペースを与えるために可能な限り小さくすることが必要不可欠である。
【０００９】
ＵＳ２０１２／０２８０８９０は、「チップアンテナ」の分類におけるアンテナの例であり、放射部品である「チップ」は少なくともアンテナ構造の部分を含んでいる。このようなチップは、自動化マシンでの簡単な取り付けにつながる。しかしながら、チップアンテナはコストが高い部品であり、有する性能も限られる。さらに、集積化のために取り付けられるＰＣＢに対する特定のレイアウトが必要となる。小さい部品に対する今日の大勢として、最善の性能とバンド幅を得るために、アンテナを各々の製品に最適化することが重要である。このことは、取り付けられるＰＣＢの特定のレイアウトが必要であることから、チップアンテナでは可能ではない。
【発明の概要】
【発明が解決しようとする課題】
【００１０】
本発明の目的は、先行技術における問題に対する解決及び軽減を提案することである。すなわち、主たる目的は、寸法を小さくでき、シングルバンド及びデュアルバンドの両方での動作を可能にし、同時に経済的な解決を与える、改善されたアンテナ装置を提案することである。
【課題を解決するための手段】
【００１１】
本発明によれば、この問題は、請求項１の特徴を有するアンテナ装置によって解決される。
【００１２】
この解決策は、本発明の凹部をわたってつなぐ追加のキャパシタンスを設けることによって上記の問題を軽減する。
【００１３】
本発明のアンテナ装置は、良好なアンテナ特性を示しながら、従来技術における多くのものと比較して、空間についての必要性を実質的に節約することを可能にする。特に、アンテナ装置が基板の縁部に切り込まれる深さを小さく保つことができ、これにより本発明のアンテナ装置の回路基板の保存された空間を他の部品及び回路に使用することができる。
【００１４】
凹部にわたってキャパシタを追加することは、高いバンドが短絡されると考えられ、したがってデュアルバンドアンテナはこの構成では可能ではない。しかしながら、キャパシタテンスの値が格別に低い場合は、この構成でデュアルモードアンテナが可能であり、これは驚くべきことである。また、同じ構成でキャパシタンス値を変えることで、シングルバンド構成も可能である。
【００１５】
さらに、本発明のアンテナ装置は、デュアルバンドモードにおいて同調がより容易である。電気的にリアクタンス性のネットワーク同士のあいだの中空部分、及び、底辺に最も近い電気的にリアクタンス性のネットワークと底辺とのあいだの中空部分は、それぞれが一般的に複数のバンドのうちの一つにおいてだけ共鳴に寄与する。すなわち、第１の中空部分はほとんどが第１のバンドにおける共鳴に寄与し、第２の中空部分はほとんどが第２のバンドにおける共鳴に寄与する。これは、各バンドの特性を容易に調整できるので有益である。一つの中空部分だけの共鳴を調整するときは一つのバンドがほとんどの影響を受け、他方のバンドはほとんど影響を受けないままであり、その逆の場合も同じである。
【００１６】
本発明はさらに、上記アンテナ装置の利点を有するアンテナ装置を備えたデバイスにも関連する。
【００１７】
さらに有利な実施形態が、特許請求の範囲において開示される。
【００１８】
コメントとして、逆Ｆアンテナ（Inverted F-antenna）、すなわちＩＦＡと呼ばれる公知のアンテナ構造は、本発明と多少類似しているかもしれない。また、このＩＦＡに対して、ＩＦＡの共振周波数を下げるのに用いられるキャパシタを含む頂部負荷キャパシタ（top load capacitor）と呼ばれる技術が存在する。この頂部負荷キャパシタは、アンテナの「ノッチ（notch）」を横切るようにノッチの開口の近くに配置され、本発明の一塊の直列キャパシタを含む第２の電気的にリアクタンス性のネットワークに類似しているように見えるかもしれない。しかしながら、これらは互いに大きく異なる。要は、ＩＦＡの頂部負荷キャパシタはアンテナの共振周波数の波長の約１／４の物理的寸法を有するアンテナ装置とともに使用されるのに対し、本発明の第２の電気的にリアクタンス性のネットワークのキャパシタは、波長の１／１０又はそれ以下に対応するアンテナ装置とともに使用される。実際に、これらは大きく異なる特性をもたらす。
【００１９】
ＩＦＡの頂部負荷キャパシタの一般的な使用では、アンテナの共振周波数を下げるためにこれらを高い電界を有するアンテナの部分に置く。これは、頂部負荷キャパシタが通常アンテナの給電部分から約１／４波長のところに置かれることを意味する。頂部負荷キャパシタが給電部分の近くに置かれると、その周波数制御特性が失われる。一方、本発明の第２の電気的にリアクタンス性のネットワークのキャパシタは、第１の電気的にリアクタンス性のネットワークからアンテナ装置の共振周波数の波長の１／１２よりも小さい距離離れたところに置かれる。
【００２０】
ＩＦＡに対しは、通常スロットのＲＦ給電部分において、ＲＦ給電からグランドへの分路キャパシタ（shunt capacitor）を用いて容量性のマッチングが達成される。給電部分を操作して低い共振周波数を達成するためには、通常直列のインダクタンスが使用される。
【００２１】
ＩＦＡはまた、良好な動作のためには接地面の中央からできるだけ遠くの位置に置く必要のある電気アンテナ構造の一種である。これはまた、接地面の深さと比較してかなり大きい深さを有する必要があり、典型的には接地面の深さの少なくもと５０％の深さを有し、通常は先行文献ＥＰ２７０４２５２（Ａ２）から明らかなように７５％以上の深さを有する。このように、これは接地面を半分二つに切り、高い電界位置、すなわち接地面の側面で電界を生成する。
【００２２】
本発明の小さい凹部すなわちノッチに対しては、それはノッチの寸法及び形状とともに主たる周波数制御部品である直列キャパシタを有する給電部分／直列のリアクタンス性のネットワーク９である。低いリアクタンス性の値（高いキャパシタの値）は、共振周波数を下げる。しかしながら、ノッチの寸法が小さいことにより、本発明のアンテナ装置は非常に低い放射抵抗、通常は５０オームマッチングよりよりずっと小さい放射抵抗を有する。アンテナを５０オームにマッチングさせるには、マッチングネットワークに対する自明の配置位置は、ＲＦ信号の給電部分である。小さいノッチに対しては、これには５０オームのマッチングを達成するために分路キャパシタを追加することを含む。ＵＳ６４２４３００（Ｂ１）によれば、その値は１５７４ＭＨｚにおいて約８ｐＦであり、これはグランドに対してたった１２オームのインピーダンスとなる。これは、第２の高い周波数帯が必要とされるときに、デュアルバンド動作において望ましくないローパスフィルタをもたらす。
【００２３】
これに対し、本発明によれば、ノッチにおける別々のキャパシタンス（給電部分／直列のリアクタンス性ネットワーク９とともに）が、ローパスフィルタリングの問題を驚くほど克服する。必要とされるキャパシタンスの値は非常に小さいが、小型ノッチアンテナに対して予想外に良好なインピーダンスマッチングをもたらす。また２．４ＧＨｚにおいて約０．２ｐＦというこの非常に小さい値によって、デュアルバンド２．４ＧＨｚ及び５ＧＨｚでの動作に対して周波数を遮断（filter-out）しない。このように小さいキャパシタンス値によって、２．４ＧＨｚにおいて約３００オーム、５ＧＨｚにおいて約１５０オームというインピーダンスとなる。より大きなアンテナに対しては、このような小さい部品の値が有する影響は非常に限られたものである。ノッチの小さな寸法によって、小さいリアクタンス性の値に対して大きな効果を有すると思われる。
【図面の簡単な説明】
【００２４】
ここから、本発明を例示する実施形態について、添付図面によって説明する。ここで、
【図１】従来技術を示す。
【図２】図１に示した従来技術の小型化を試みたアンテナ装置を示す。
【図３】図２の反射減衰量を示す。
【図４】本発明の実施形態を示す。
【図５】図４のデュアルバンドでの反射減衰量を示す。
【図６】図４の反射減衰量を示す。
【図７】本発明の他の幾何学的配置のさらに小型化した実施形態を示す。
【図８】図７の反射減衰量を示す。
【図９】リアクタンス性ネットワークの他の置き換えを示す。
【図１０】図９の反射減衰量を示す。
【図１１】デュアルバンド動作の本発明の実施形態を示す。
【図１２】図１１の反射減衰量を示す。
【図１３】デュアルバンド磁界生成の概略を示す。
【図１４】本発明による変形された幾何学的配置を示す。
【図１５】本発明の他の幾何学的配置を示す。
【図１６】図１１の放射効率を示す。
【図１７】本発明の蛇行線を有する実施形態を示す。
【図１８】図１７の反射減衰量を示す。
【図１９】図１７の放射効率を示す。
【発明を実施するための形態】
【００２５】
図４は、本発明による好例のアンテナ装置１を示す。アンテナ装置１は、使用において接地面となる金属処理された領域３を有するプリント回路基板２を含む。接地面３の縁部に、凹部４が形成されている。凹部４には第１の辺１３及び第２の辺１４が含まれ、これらは互いに対向している。凹部４にはさらに、第１の辺１３及び第２の辺１４に接続される底辺２５が含まれ、第１の辺１３及び第２の辺１４は二つの点６、７で終端して凹部４の周縁５を形成する。
【００２６】
アンテナ装置１はさらに、あいだに一塊の直列キャパシタ部品１２を有する２つのボート１０、１１を有する電気的にリアクタンス性の第１のネットワーク９を含み、ここで、第１のリアクタンス性ネットワーク９は凹部４を橋渡しするとともに、凹部４の第１の辺１３上で接地面３に電気的に接続される一方のポート１１と、凹部４の第２の辺１４において無線信号の給電ポイント１５を与える他方のポート１０を有する。本発明の第１の電気的にリアクタンス性のネットワーク９は一般に、接地面に接続されたポート１１を除いて、接地面３から電気的に分離されている。ただし、本発明のアンテナ装置の特性を有意に変えないリアクタンス性の値を有する何らかの部品によってグランドへの仮想的に電気的な接続を有することは可能である。
【００２７】
さらに、アンテナ装置１は、あいだに一塊の直列キャパシタ部品１９を有する２つのボート１７、１８を有する電気的にリアクタンス性の第２のネットワーク１６を含む。この第２のリアクタンス性のネットワーク１６は、第１の電気的にリアクタンス性のネットワーク９とは別に凹部４を橋渡し、その一つのポート１７は凹部４の第１の辺１３上で接地面３に電気的に接続され、第２の電気的にリアクタンス性のネットワーク１６の他方のポート１８は、凹部４の第２の辺１４上で接地面３に電気的に接続されている。
【００２８】
アンテナ装置１は、無線波の送信及び／又は受信のための無線回路が給電ポイント１５に接続され、共振周波数で無線波を受信又は送信しているときに、アンテナとして共振周波数で共振するよう構成されている。
【００２９】
開口８から、接地面３の金属を横切ることなく開口８から最も遠くにある凹部４の周縁５上の点までの物理的な長さとして定義される、凹部４の電気的な長さは、アンテナ装置１の共振周波数の波長の１０分の１（１／１０）又はそれ以下である。
【００３０】
さらに、第１及び第２の電気的にリアクタンス性のネットワーク９、１６のあいだの物理的な距離は、アンテナ装置１の共振周波数の波長の１２分の１（１／１２）よりも小さい。一例として、この物理的な距離を図４に見ることができ、ここでキャパシタ１２を有するネットワーク９及びキャパシタ１９を有するネットワーク１６は共に図の水平方向に延びている。これらのあいだの物理的な距離は、単純にネットワーク９上のどこかから始まりネットワーク１６上のどこかで終わる可能な最も短い線の長さである。（すなわち図４では、ネットワーク９から始まりネットワーク９に垂直にネットワーク１６に当たるまで延びる線である。）このアンテナ装置の特質は、これ頂点負荷を有するＩＦＡアンテナから差別化する一つの点であり、ネットワーク９と給電１６とのあいだの距離はＩＦＡにおける可能な距離よりもずっと小さい。もちろんこれによって、与えられた周波数におけるアンテナ装置の設計を、ＩＦＡと比較してずっと小さくすることを可能にする。
【００３１】
検討のために、図４の実施形態は、高さ６ｍｍ、幅２ｍｍを有するよう構成されている。さらにキャパシタ１２は０．５ｐＦに、キャパシタ１９は０．２ｐＦに設定された。この実施形態の性能の結果を、反射減衰量を例示する図５において検討することができる。これからわかるように、共振は２．４ＧＨｚにおいて、そして６ＧＨｚ付近で起こっている。散乱は大きいが、いくつかの応用においては十分であるかもしれない。
【００３２】
さらなる検討のために、図４の実施形態は、前段落のように高さ６ｍｍ、幅２ｍｍを有するよう構成されているが、キャパシタ１２は０．３ｐＦに、キャパシタ１９は０．６ｐＦに設定された。この実施形態の性能の結果を、反射減衰量を例示する図６において検討することができる。この図から分かるように、シングルバンドのアンテナは、凹部４はたった６ｍｍの高さを有するが、２．４ＧＨｚにおいて非常に良い共振が達成されている。
【００３３】
本発明のアンテナ装置１のさらなる実施形態では、凹部４は、底辺２５が凹部４の高さと同じかそれより長い形状を有することができる。凹部の高さは、下底辺２５と開口８とのあいだで最も短い経路の長さと定義される。このように構成された凹部４の比率では、高さが幅よりも長い凹部４と比較して、共振周波数の付近のバンド幅を広げることが可能であることが注目された。
【００３４】
本発明のこれまでの任意の実施形態のアンテナ装置１の凹部４の形状のさらなる変形例は、凹部４の形状が三角形であって凹部４の開口８が三角形の一つの頂点にあたる三角形である。これを図７で検討することができる。三角形とすると凹部４の高さはさらに低くなり、アンテナ装置の内部は非常に狭くなる。図７のアンテナ装置の性能を、図７の実施形態の反射減衰量を示した図８に例示する。この実施形態では、図７のアンテナ装置１の寸法は高さ３．５ｍｍ、底辺２５の幅８ｍｍで、共振周波数は２．４ＧＨｚだった。図８からわかるように、図４に示した前述の実施形態の高さ６ｍｍに比べてかなり低い３．５ｍｍであるが、共振周波数付近のバンド幅は実質的に同じである。図６と図８を比較してわかるように、図４の設計の最適インピーダンスマッチングは図７の設計のものよりわずかに良好である。しかしながら、図７の設計は、図４のアンテナ装置よりも高さを大幅に低くすることが可能でありながら、バンド幅とインピーダンスマッチングは概して図４のそれらと同等である。
【００３５】
図９は、電気的にリアクタンス性のネットワーク１６の位置を変えたときに何が起こるかを例示するために、図７の実施形態の変形例を示している。具体的には、図９では、ネットワーク１６を凹部４の底辺２５に近づくよう移動させてある。図７では、ネットワーク１６は、ネットワーク９により近く凹部４のほぼ中央に位置している。図９に示した実施形態の性能を、図１０に見ることができる。図９のアンテナ装置の仕様は、ネットワーク１６の位置が異なることを除いて図７のものと同じである。図１０から分かるように、ネットワーク１６の位置を変えることによって、図７でのネットワークの配置と比較して、図９のアンテナ装置の反射係数はわずかに悪い一方で、バンド幅は幾分良好になっている。したがって、幾分良好なバンド幅が必要な場合は、ネットワーク１６をこのように移動させることができる。
【００３６】
第２の電気的にリアクタンス性のネットワーク１６の配置を考慮すると、多くの余地があることが分かった。本発明のアンテナ装置１の第２の電気的にリアクタンス性のネットワーク１６は、例えば図１１に示すように、第１の電気的にリアクタンス性のネットワーク９よりも開口部８の近くに配置することができる。したがって、従来技術のいくつかのアンテナ給電点における分路キャパシタと比較して、本発明のアンテナ装置の例えば共振周波数又はインピーダンスマッチングを微調整するときに、第２の電気的にリアクタンス性のネットワーク１６の柔軟な配置によってより多くの選択肢が可能となる。
【００３７】
すでに述べたように、無線波を送信及び／又は受信する無線回路２０が給電点１５に接続され、さらなる共振周波数で無線波を受信し又は送信しているときに、本発明のこれまでに説明した任意の実施形態のアンテナ装置１は、さらなる共振周波数を有するアンテナとして共振するよう構成することができる。シングルハンドと比較して、本発明のアンテナ装置をデュアルバンドで動作させるには、ノッチの面積をわずかに大きくすること、例えば深さをより深くし及び幅をより広くすることが必要とされる。
【００３８】
デュアルモードで作動する本発明のアンテナ装置の特に有利な構成は、アンテナ装置をデュアルバンド動作用に構成し（例えば凹部の面積を微調整することによって）、そして本発明の第２の電気的にリアクタンス性のネットワーク１６を、第１の電気的にリアクタンス性のネットワーク９よりも凹部４の開口８により近く配置した場合であることが分かった。図１１における本発明のアンテナ装置のデュアルバンド構成の性能を、図１２で検討することができる。図１２は、図１１のアンテナ装置の凹部を高さ５．５ｍｍ、底辺２５の幅を１０ｍｍという構成にしたときの反射減衰量を例示する。これから、この構成はデュアルバンド動作で有益であることが分かる。
【００３９】
このようなデュアルバンドアンテナを設計する際に、２．４ＧＨｚ帯においてはネットワーク９が最も共振周波数に影響し、５ＧＨｚ帯においてはネットワーク１６はが最も共振周波数に影響する。ネットワーク１６は、２．４ＧＨｚ帯のインピーダンスマッチングにも影響する。図１１の凹部４の二つのネットワークの間にある中空部分の領域、及び、ネットワーク９と底辺２５の間の中空部分の領域も、共振周波数に影響する。ネットワーク９を下方に移動すると、デュアルバンド構成の下の方の周波数（この場合は２．４ＧＨｚ）は高くなる。上の方の共振周波数（この場合は５ＧＨｚ）は低下する。しかしながら、給電ネットワーク９の位置は大きく移動はできず、デュアルバンド構成が有利な特性を有する許容領域の範囲内に維持されなければならない。この許容領域は、凹部４／ノッチの具体的な形状に応じて、実験的に確立されなければならない。
【００４０】
第２の電気的にリアクタンス性のネットワーク１６を有する本発明のアンテナ装置１を、インピーダンスマッチングのために給電部に分路キャパシタを用いるいくつかの従来技術と差別化する一つのことは、第２の電気的にリアクタンス性のネットワーク１６のリアクタンスを非常に高くできることである。本発明のすべての実施形態に対して、アンテナ装置１の作動周波数において測定したインピーダンスを１００Ωよりも高くすることが可能である。これは、従来技術における給電点における分路キャパシタとは異なって、アンテナ装置の潜在的に上側のバンドを短絡させることなく本発明のアンテナ装置のインピーダンスマッチングを促進する。したがって、本発明のこの設計はまた、潜在的な上側のバンド／デュアルバンド設計を可能とする。
【００４１】
本発明のアンテナ装置は、種々の方法で提供することができる。例えば、主基板に任意の無線回路を含ませることができ、あるいは独立した基板として提供することもできる。いずれの場合も、使用に際しては本発明のアンテナ装置１は、給電点１５に接続された無線波の送信及び／又は受信のための無線回路２０を含むことができる。このような無線回路２０は、受信及び／又は送信がなされる少なくとも一つの共振周波数を有する。
【００４２】
本発明のキャパシタンスに対する適切な値の例として、本発明のアンテナ装置１は第１の電気的にリアクタンス性のネットワーク９の直列キャパシタンスは、０．１ｐＦから０．８ｐＦの間、好ましくは０．２ｐＦから０．５ｐＦのあいだの値を有することができる。第２の電気的にリアクタンス性のネットワーク１６の直列キャパシタンスは、０．０５ｐＦから０．６ｐＦの間、好ましくは０．０７ｐＦから０．４ｐＦのあいだの値とすることができる。これらのキャパシタンスの値及びこの文書の他の部分で説明されている凹部の適切な寸法によって、アンテナ装置１は、２ＧＨｚから６ＧＨｚのあいだの範囲で動作するのに適している。
【００４３】
本発明のシングルバンドアンテナの具体的な実施形態のための具体的な値に言及することは価値がある。本発明のこのアンテナ装置１の第１の電気的にリアクタンス性のネットワーク９の直列キャパシタンスは約０．３ｐＦ、第２の電気的にリアクタンス性のネットワーク１６の直列キャパシタンスは約０．２ｐＦである。凹部の高さは３．５ｍｍであり、底辺２５の幅は８ｍｍである。これにより共振周波数は２．４ＧＨｚとなる。凹部の高さは底辺と開口８とのあいだで最も短い経路の長さとして定義される。この実施形態は、前述の図７に示されたものに実質的に対応する。
【００４４】
デュアルバンド特性を有する本発明のアンテナ装置１の例として、第１の電気的にリアクタンス性のネットワーク９の直列キャパシタンスは、０．２ｐＦから０．４ｐＦの範囲とすることができる。さらに、第２の電気的にリアクタンス性のネットワーク１６の直列キャパシタンスは、約０．０７ｐＦとすることができる。凹部の高さは５．５ｍｍ、底辺２５の幅は１０ｍｍである。これにより共振周波数は約２．４ＧＨｚとさらに約５ＧＨｚである。前と同様に、凹部の高さは底辺２５と開口８とのあいだで最も短い経路の長さとして定義される。この実施形態は、前述の図１１に示されたものに実質的に対応する。
【００４５】
最も一般的に本発明のアンテナ装置を設計するために、この文書において説明されるある実施形態を出発点として用いることができ、それから例えば所望の周波数へと値が調整される。よって、特別のオリジナル設計が、ある共鳴周波数に対して７．８ｍｍの高さを有しており、新たな設計の所望の周波数がオリジナル設計の半分だった場合、新たな設計の高さは、オリジナルの設計の２倍とすることができる。また、オリジナルの設計におけるキャパシタンスを、新たな設計では２倍とすることができる。この新たな設計は、新たな設計の第１近似として提供することができ、これをさらに微調整して所望の特性を達成することができる。
【００４６】
従来技術における通常のアンテナのインピーダンスマッチングに関しては、通常のマッチングは、発生器の供給を設定し、その設定の特性をチェックし、そしてキャパシタンス性シャント等の部品を発生器へ接続してこれを所望のシステムインピーダンスとマッチングさせる。
【００４７】
しかしながら、本発明におけるマッチングは、第２の電気的にリアクタンス性のネットワーク１６が直接給電点に接続されていないので、これとは異なる特別な方法で行われる。調整される変数には、例えば、凹部の寸法、凹部の幾何学的形状、第１及び第２の電気的にリアクタンス性のネットワーク９、１６のキャパシタンス、これらのネットワークの凹部における配置、そしてネットワーク９、１６のあいだの相互の物理的距離が含まれる。この特別な方法は、本発明の驚くべき品質をさらに明らかなものにする。というのは、当業者はアンテナ設計をチューニングするときには従来からのインピーダンスマッチング作業を行うのが通常であり、本発明の設計を偶発的に見いだしたりはしないからである。
【００４８】
これまでに述べた任意の実施形態のアンテナ装置１は、典型的にはいくつかの種類の装置において用いられる。例えば、自動車、携帯電話、タブレット、センサー、その他の無線接続が必要とされる装置、そしてアンテナの寸法を小さくしなければならない装置において用いられる。
【００４９】
デュアルバンド動作における本発明の一つの利点は、本発明のアンテナ装置の電気的にリアクタンス性のネットワークのあいだの中空部分、例えば図１３に見られるような中空部分は、それぞれが実質的に単独で自身の周波数帯の特性に寄与する。例えば図１３において、アンテナ装置の５ＧＨｚのＨ場（H-field）は三角形のアンテナ装置の上側の中空部分から発生しており、２．４ＧＨｚのＨ場はほとんど下側の中空部分から発生していることが分かる。これは、バンドの一つの特性を変えるためには、中空部分の一つだけを変えなければならないことを意味する。逆に、周波数帯の一つの特性に影響を与えるために一つの中空部分を変えることは、他の周波数帯には影響を与えない。したがって、本発明のアンテナ装置をデュアルバンド構成に調整することはこの意味できわめて簡潔である。
【００５０】
本発明のアンテナ装置の他の変形例も同様に可能である。例えば、図１４及び図１５は、凹部の幾何学形的状が長方形や三角形である必要はなく、他の幾何学的形状でもよいことを例示している。任意の幾何学的形状に対し、ネットワーク９、１６のキャパシタンスの寸法は、アンテナ装置の所望の特性を達成するために調整されなければならない。
【００５１】
本発明のアンテナ装置の他の変形例は、前述の二つに加えて第３の電気的にリアクタンス性のネットワークを含むことができる。この第３の電気的にリアクタンス性のネットワークは二つの部分を有し、これらのあいだに一塊の直列キャパシタ部品を含む。以前説明した第２の電気的にリアクタンス性のネットワーク１６と同様の方法で、第３の電気的にリアクタンス性のネットワークは第１及び第２の電気的にリアクタンス性のネットワークとは別に本発明の凹部を橋渡しすることができる。第３のネットワークの一つのポート２２は、凹部の第１の側面上で接地面に電気的に接続され、第２のネットワークの他のポートは凹部の第２の側面上で接地面に電気的に接続される。こうして、本発明のアンテナ装置のさらに精細なチューニングが可能となる。
【００５２】
本発明のアンテナ装置は磁気アンテナであることに注目すべきである。すなわち、このアンテナは高い磁界のある場所を「好み」、接地面／プリント基板の角部から離れた場所にあるときに最もよく動作する。好ましい位置は、接地面の最も長い側面の中央部である。
【００５３】
本発明のアンテナ装置は、磁気タイプのアンテナなので、動作するためにプリント基板（ＰＣＢ）に深く切れ込まれた凹部を必要としない。
【００５４】
本発明のアンテナ装置に対して、プリント基板の方向に沿ったプリント基板の中への凹部４の物理的な深さは、良好な性能を保ちながらプリント基板の同じ方向に対して２５％又はそれ以下とすることができる。ＰＣＢの内側の領域は他の回路及び部品にとって非常に貴重であることから、これは魅力的な特徴である。
【００５５】
本発明は、他の通信規格及びここで述べた２．４ＧＨｚ及び５１０ＧＨｚ以外の周波数に適用可能である。本発明はＧＰＳ、ＧＬＯＮＡＳＳ、その他の測位システムにも使用可能である。本発明はセルラー通信に使用可能である。本発明はＩＳＭバンドでのアンテナや他のシングルバンド又はデュアルバンドのシステムに使用可能である。
【００５６】
図１１のアンテナに戻ると、さらに別の理由によって興味深い。アンテナにおいて非常に重要な特性は、放射効率である。すなわち、アンテナの、測定された実世界の性能（例えばアンテナ実験室で測定された）である。図１６は、図１１のアンテナに対してこの性能、すなわち放射効率を示しており、このようなアンテナに対して驚くほど高いことが分かる。
【００５７】
上述のように、図１１のアンテナは、５．５ｍｍの高さ及び幅１０ｍｍの底辺２５の凹部を有する。この寸法及び駆動周波数では、アンテナは小型アンテナと定義される。「小型アンテナの根本的な制約（Fundamental limitations of small antennas）」（Wheeler, H）（Proc.IRE, vol.35, no.12, pp.1479-1484, 1947）において、「小型アンテナ（small antenna）」は、λ／（２×π）よりも小さいものとして定義されている。この寸法又はそれ以下では、アンテナの性能は著しく影響を受ける。
【００５８】
通常、電気的に小さいアンテナの効率は、普通サイズのアンテナと比較して非常に低い。高い効率を得るためには、より大きな物体、通常は銅の層を有する電子的なボードの上に置かなければならない。そして、電気的に小さい「アンテナ」は、電磁放射を発する電子ボードからの大きな寄与を得て、むしろ励起エレメントとして動作する。小型アンテナを適切に動作させるために、所望の周波数における共振特性と、良好な放射効率とともに必要とされる十分なバンド幅を有する必要がある。電気的に小さいアンテナを設計する際に、このことは大きな挑戦である。
【００５９】
電気的に小さいアンテナは、容量性及び誘導性の素子、リアクタンス性のエレメントを有する共振回路として見ることができる。このアンテナ構造は、リアクタンス性のエレメントが正確なインピーダンス及びバンド幅を有する共振を生成するように実現する必要がある。塊とされた素子を、所望の性質を与える銅の層における構造と組み合わせるのが一般的である。アンテナの寸法を縮小すると、応用にとって十分なバンド幅及び放射効率を持たせることは難しい。
【００６０】
図１７は、本発明のさらに別の実施形態を例示する。第１の電気的にリアクタンス性のネットワーク９の電線の少なくとも一部は蛇行した形状である。図１７では、ネットワーク９の全長さにわたって蛇行していることが見て取れる。
【００６１】
図１７に例として示した本発明のこの蛇行する特徴は、改善されたバンド幅という形で利点をもたらす。図１７の実施形態の反射減衰量を示す図１８において、図１１における蛇行した線のない対応するデバイス（対応する反射減衰量は図１２）のバンド幅と比較して、改善された約５〜６ＧＨｚのバンド幅を見ることができる。また、図１９から分かるように、この蛇行した線の実施形態に対応する放射効率は非常に高い。
【符号の説明】
【００６２】
１：アンテナ装置
２：プリント基板
３：接地面
４：凹部
５：凹部の周縁
６：周縁の点
７：周縁野天
８：開口
９：第１の電気的にリアクタンス性のネットワーク
１０：第１のリアクタンス性のネットワークのポート
１１：第１のリアクタンス性のネットワークのポート
１２：一塊のキャパシタ
１３：凹部の第１の辺
１４：凹部の第２の辺
１５：無線周波数給電点
１６：第２の電気的にリアクタンス性のネットワーク
１７：第２の電気的にリアクタンス性のネットワークのポート
１８：第２の電気的にリアクタンス性のネットワークのポート
１９：一塊のキャパシタ
２０：無線回路
２１：第３の電気的にリアクタンス性のネットワーク
２２：第２のリアクタンス性のネットワークのポート
２３：第２のリアクタンス性のネットワークのポート
２４：一塊のキャパシタ
２５：凹部の底辺
１００：無線回路
１１０：電気的にリアクタンス性のネットワーク
【図１】
0006924283.tif 000002
【図２】
0006924283.tif 000003
【図３】
0006924283.tif 000004
【図４】
0006924283.tif 000005
【図５】
0006924283.tif 000006
【図６】
0006924283.tif 000007
【図７】
0006924283.tif 000008
【図８】
0006924283.tif 000009
【図９】
0006924283.tif 000010
【図１０】
0006924283.tif 000011
【図１１】
0006924283.tif 000012
【図１２】
0006924283.tif 000013
【図１３】
0006924283.tif 000014
【図１４】
0006924283.tif 000015
【図１５】
0006924283.tif 000016
【図１６】
0006924283.tif 000017
【図１７】
0006924283.tif 000018
【図１８】
0006924283.tif 000019
【図１９】
0006924283.tif 000020